(57)【要約】【課題】ユーザの視覚に作用する視認性と十分な吸脂性とを兼ね備えている脂取り紙を提供する。【解決手段】吸脂性を備えている薄葉状のシート状基材１０と、前記シート状基材１０の片側面に設けた文字絵柄表示層１２と、前記シート状基材１０の少なくとも片側面に設けられ吸脂したときに不透明な状態から透明な状態に変化する吸脂層１１とを含む脂取り紙１である。シート状基材は透ける程度に薄いので、文字絵柄表示層に設けた文字等を反対側から視認することもできる。更に少なくとも片側面に吸脂したときに不透明な状態から透明な状態に変化する吸脂層が設けられている。よって、使用したときに、ユーザの視覚に作用する視認性と十分な吸脂性とを兼ね備えている脂取り紙として提供できる。【選択図】    図１
2008079904.tif 000002
【特許請求の範囲】
【請求項１】
吸脂性を備えている薄葉状のシート状基材と、前記シート状基材の片側面に設けた文字絵柄表示層と、前記シート状基材の少なくとも片側面に設けられ吸脂したときに不透明な状態から透明な状態に変化する吸脂層とを含む、ことを特徴とする脂取り紙。
【請求項２】
前記シート状基材の異なる面に、前記文字絵柄表示層と前記吸脂層とを個別に設け、前記文字絵柄表示層は反転させた文字絵柄を印刷して形成してある、ことを特徴とする請求項１に記載の脂取り紙。
【請求項３】
前記前記文字絵柄表示層上に、更に第２の吸脂層を設けた、ことを特徴とする請求項２に記載の脂取り紙。
【請求項４】
前記シート状基材の同じ面に、前記文字絵柄表示層及び前記吸脂層を設け、前記文字絵柄表示層は正規の文字絵柄を印刷して形成してある、ことを特徴とする請求項１に記載の脂取り紙。
【請求項５】
前記吸脂層は、光に対し低屈折率である填料を含む、ことを特徴とする請求項１から４のいずれかに記載の脂取り紙。
【発明の詳細な説明】
【技術分野】
【０００１】
本発明は脂取り紙に関する。特に、ユーザに皮脂が取れたことを認識させるのに最適である脂取り紙に関する。
【背景技術】
【０００２】
人間の顔面、特に鼻、額、眉間などは皮脂の分泌が盛んである。皮脂が分泌されると顔面がべたついたり、てかりが生じたりする。顔面に皮脂が付着していると、化粧の乗りが悪くなり、化粧崩れの原因にもなる。皮脂は、洗顔をすることによって落すことができる。しかし、外出先などでは必要に応じて洗顔するというのは現実的に困難である。そこで、浮き出した皮脂を簡易に取り除くことができる脂取り紙が、従来から広く利用されている。特に、近年にあっては、男女を問わず肌を清潔に保つという意識が高まり、脂取り紙が一般に広く利用されるようになっている。
【０００３】
上記のような脂取り紙としては、古くは金箔を打ち伸ばすときに用いた箔打ち紙を小さく裁断したものが使用されていた。箔打ち紙は、その繊維が砕かれるほどに叩かれることにより柔軟性、平滑性が付与されるため肌触りがよい。更に、箔打ち紙は皮膚に浮き出た微量の皮脂を吸収することによって透明化するので、皮脂が除去された効果を視覚的に確認できるという特長を有している。なお、このように、脂取り紙が吸脂したときに見た目（外観、外見）の様子が変化し、吸脂したことを視覚的に認識させる性質のことを視認性と称する。
【０００４】
上記箔打ち紙の特長からも理解できるように、脂取り紙に求められる品質としては柔軟性、肌触りの良さと共に、皮脂を吸収したことをユーザに印象付ける視認性が重要になってきている。そして、前述したように近年における脂取り紙の需要の伸びに伴い、ユーザのニーズも多様化している。そこで、視認性を改良した種々の脂取り紙が提案されるようになっている。
【０００５】
例えば、特許文献１は吸脂したときに文字や絵柄などが現れるように構成した化粧用脂取り紙について開示している。この特許文献１では、脂取り紙が吸脂したときに絵柄、文字等を出現させて意匠性を持させたことを「インジケータ−機能」と称している。この脂取り紙はインジケータ−機能が付与されているので、上記の視認性が高められて、ユーザが脂取り紙を使用したときの満足感を得易いようにしている。特許文献１の化粧用脂取り紙は、植物繊維を主成分とするパルプ原料に、無機質填を配合してなる紙料を調成し、抄紙して得られる紙の少なくとも一方の面の一部に耐油剤を塗布するものである。この耐油剤による塗布部分を文字や絵柄とすることで、吸脂したときに文字や絵柄などを出現させるようにしている。
【０００６】
【特許文献１】特開平１１−２７９９９３号公報
【発明の開示】
【発明が解決しようとする課題】
【０００７】
しかしながら、特許文献１の脂取り紙は、そのベースとなる紙料（基材）に耐油剤を塗布し、吸脂しない領域を設けることによって文字や絵柄を出現させる。より具体的には、皮脂を吸収させるべき吸脂層にフッ素系の化合物などの耐油性剤を含浸させ、絵柄や文字を相対的に浮き上がらせるようにしている。この脂取り紙は、これより従前の一般的な脂取り紙と比較すると、耐油剤を塗布して文字や絵柄を表示するようにした領域の分、その吸脂量（吸脂能力）が劣ることになる。よって、皮脂量が多いユーザがこの脂取り紙を使用した場合には、皮脂を拭き取れないという事態が想定される。そのために、皮脂の拭き取りに複数枚の脂取り紙が必要となり、使用枚数が増えて不経済となる虞がある。
【０００８】
よって、本発明の目的は、ユーザの視覚に作用する視認性と十分な吸脂性とを兼ね備えている脂取り紙を提供することである。
【課題を解決するための手段】
【０００９】
上記目的は、吸脂性を備えている薄葉状のシート状基材と、前記シート状基材の片側面に設けた文字絵柄表示層と、前記シート状基材の少なくとも片側面に設けられ吸脂したときに不透明な状態から透明な状態に変化する吸脂層とを含む、ことを特徴とする脂取り紙によって達成できる。
【００１０】
本発明によると、薄葉状のシート状基材が吸脂性を備え、このシート状基材のいずれかの面に文字や絵柄を描いた文字絵柄表示層が形成される。シート状基材は透ける程度に薄いので、文字絵柄表示層に設けた文字等を反対側から視認することもできる。更に少なくとも片側面に吸脂したときに不透明な状態から透明な状態に変化する吸脂層が設けられている。よって、使用したときに、ユーザの視覚に作用する視認性と十分な吸脂性とを兼ね備えている脂取り紙として提供できる。
【００１１】
そして、前記シート状基材の異なる面に、前記文字絵柄表示層と前記吸脂層とを個別に設け、前記文字絵柄表示層は反転させた文字絵柄を印刷して形成してある脂取り紙としてもよい。この場合には、吸脂層が吸脂して透明化したときに、文字絵柄表示層の反転させてあった文字絵柄が正規の状態で確認できるように出現する。よって、ユーザの視覚に強く作用するので視認性を向上させた脂取り紙として提供できる。更に、前記前記文字絵柄表示層上に、更に第２の吸脂層を設けた構造を採用してもよい。
【００１２】
また、前記シート状基材の同じ面に、前記文字絵柄表示層及び前記吸脂層を設け、前記文字絵柄表示層は正規の文字絵柄を印刷して形成してある脂取り紙としてもよい。この場合にも、吸脂層が吸脂して透明化したときに、文字絵柄表示層に準備してあった正規の文字絵柄が出現させることができるのでユーザの視覚に強く作用して、視認性を高めることができる。なお、このように文字絵柄表示層を皮脂吸収層と同じ面に設置する場合、例えば文字絵柄表示層をベース紙と同系色として、裏面から文字絵柄表示層を視認し難くしておくことが望ましい。より具体的には、上記シート状基材として茶色のベース紙を採用した場合、文字絵柄表示層も茶色系統とする。このようにすると、裏面から文字絵柄表示層が視認され難くなるので、脂取り紙としての商品価値を向上させることができる。
【００１３】
そして、前記吸脂層は、光に対し低屈折率である填料を含んで形成するのがより好ましい。
【発明の効果】
【００１４】
本発明によると、ユーザの視覚に作用する視認性と十分な吸脂性とを兼ね備えている脂取り紙を提供できる。
【発明を実施するための最良の形態】
【００１５】
以下、図面を参照して本発明の一実施形態に係る脂取り紙について説明する。図１は、第１の実施形態に係る脂取り紙１の構成を拡大して示した図である。脂取り紙１は、ベースとなるシート状基材１０と、このシート状基材１０の片側の面（図１では上面）側に設けた吸脂層１１と、この吸脂層１１を設けた面とは異なる面（図１では下面）側に設けた文字絵柄表示層１２とを含んで構成されている。
【００１６】
シート状基材１０は、薄くて柔軟な薄葉状のシート材であり吸脂性を備えている。このようなシート状基材１０は、例えば木材パルプ及びマニラ麻、亜麻などの非木材パルプを単独で、或いはこれらを適宜に組合せたパルプ原料を用いて形成することができる。より具体的には、パルプ原料を円網、長網抄紙機などを用いて抄紙して、坪量１２ｇ／ｍ２〜２５ｇ／ｍ２のシート状とすれば好適なシート状基材１０を形成することができる。この様に形成したシート状基材１０は、吸脂層１１を設ける際の加工適正が良好である。また、シート状基材１０上に吸脂層１１を形成して脂取り紙とした後にあっては破れや損傷を生ずることなく、また適度なしなやかさを有している。よって、使用感に優れた脂取り紙とすることができる。
【００１７】
なお、上記シート状基材１０の坪量が１２ｇ／ｍ２未満では強度が低過ぎるため、吸脂層１１を形成する際の加工適性が劣ることになる。そして、製造された脂取り紙が使用した時に破れや損傷が生じ易くなってしまう。一方、シート状基材１０の坪量が２５ｇ／ｍ２を超えている場合には、シートのしなやかさが失われてしまうので使用感が低下してしまう。また、シート状基材１０に、必要に応じてタルク、カオリン、炭酸カルシウム、酸化チタン等の無機填料を加えてもよい。このような填料を加えることにより、シート状基材１０の吸脂能力を更に高めることができる。
【００１８】
上記シート状基材１０の片面側（下面側）には文字絵柄表示層１２が設けられている。シート状基材１０は、文字絵柄表示層１２の文字絵柄が、反対側（吸脂層１１側）から透かして確認できる程度の薄葉状のシート材である。ただし、前述した従来における箔打ち紙なども、一般に反対側が透けて見えるような極薄い紙であった。よって、本実施例のシート状基材１０は、従来の脂取り紙と同様の素材であって特殊なものではない。
【００１９】
上記シート状基材１０の異なる側（面）に、吸脂層１１と文字絵柄表示層１２とが個別に設けられている。例えば、吸脂層１１を形成するための塗工液を予め準備し、これをシート状基材１０の片面側（ここでは上面側）に塗布する。吸脂層１１は不透明であると共に吸脂すると透明化するコーティング層である。なお、吸脂層１１は更に着色剤などを含んでもよいが、吸脂したときには十分に透明化するように設定する必要がある。この吸脂層１１と反対側に形成される文字絵柄表示層１２は、文字絵柄を印刷して形成してある。
【００２０】
上記吸脂層１１は、吸脂前は不透明であり、吸脂によって透明化するように構成されている。そのため吸脂層１１は、例えば、クレー、タルク、カオリン、炭酸カルシウム、無定形シリカなどの無機填料、プラスチックピグメントなどの有機顔料の微粉粒体を含んでいる。これらの填料は吸脂性を備えている。さらに、これらの填料は光に対し屈折率が１．４〜１．７と低屈折率である。例えばカオリンは、屈折率１．５５〜１．６、炭酸カルシウムは屈折率１．４８〜１．６６、無定形シリカは屈折率約１．４５である。これら填料の粒子表面や粒子間に皮脂が浸透すると粒子表面等において散乱光が減少して填料が透明化する。すなわち、吸脂層１１は吸脂したときに透明化することになる。これによりシート状基材１０の表面（上面）が確認できるようになる。
【００２１】
さらに、上記クレー、タルク、カオリン、炭酸カルシウム等の填料は一般に白色或いは灰白色である。よって、このような填料を一定量含むことにより吸脂層１１を不透明な白色とすることができる。吸脂層１１は、このように白色に設定してもよいが、着色剤を少量用いて薄く着色してもよい。また、上記クレー、タルク、カオリン、炭酸カルシウムなどは、化粧料などにも添加される填料であり、これらを脂取り紙表面に設けることで皮脂の吸収量と吸収速度を高めるだけでなく、表面を平滑にして肌触りを改善できるという効果も合せて得ることができる。
【００２２】
吸脂層１１を形成するための塗工液は、バインダとしてＮＢＲ、ＳＢＲなどのラテックス、酢酸ビニル、ＥＶＡ、アクリル、ウレタンなどのエマルジョン、カルボキシメチルセルロースなどの水溶性高分子を用いることができる。バインダは填料に対して固形分で５〜４０％の範囲が好ましい。吸脂層の塗布量は、皮脂の吸脂性及び吸脂時の視認性を確保するという点から５〜１５ｇ／ｍ２の範囲とするのが好ましい。塗布量が５ｇ／ｍ２未満となると隠蔽性が低くなり視認性が悪化する。また、塗布量が１５ｇ／ｍ２を越えると吸脂量が少ないときは、無機填料等の透明化が不十分となり視覚効果が減衰する。より好ましい吸脂層の塗布量は８〜１２ｇ/ｍ２である。
【００２３】
一方、上記文字絵柄表示層１２はシート状基材１０上（図１では下面）に任意の文字、絵柄などを公知の印刷手法を用いて形成することができる。例えば、シート状基材１０に上記の吸脂層１１を形成する前に、グラビア印刷機などを用いて所望の文字絵柄を印刷しておけばよい。図１で示すように、文字絵柄表示層１２はシート状基材１０の下面に付着したインキＮＫの集合層となる。使用するインキは、黒に限らずカラーでもよいので、ユーザの視認性を高める任意の文字や絵柄を描くことができる。
【００２４】
ここで、上記インキＮＫで形成する好ましい文字や絵柄は、反転させて印刷されていることが好ましい。すなわち、図１で下側から見た（下面視による）文字や絵柄が正規なものを背面から見た状態（反転させた状態）となるように形成しておくことが好ましい。このようにしておくと、吸脂層１１が吸脂して、透明化したときに正規な文字や絵柄が出現する状態となるので、ユーザの視覚により強く作用して注意を喚起することができる。すなわち、この脂取り紙１は従来より視認性を高めた脂取り紙となる。
【００２５】
ここで、上記脂取り紙１が吸脂したときの変化を図を参照して、より詳細に説明する。図２は脂取り紙１の吸脂前後の変化を模式的示した図であり、図２（Ａ）は吸脂前の脂取り紙１の様子、同（Ｂ）は吸脂後の脂取り紙１の様子を示している。
【００２６】
図２（Ａ）で示す吸脂前にあっては、脂取り紙１の上面に位置している吸脂層１１が不透明であり、光を乱反射するので下側は隠蔽されている。このとき、ユーザはシート状基材１０下面側から文字絵柄表示層１２の文字絵柄を確認できるが反転されている。よって、ユーザはこのような文字絵柄に少々の違和感を感じることになる。ここでは発明の理解を容易とするため文字絵柄の例を「ＡＢＣ」の文字列としているが、例えば四字熟語や一定の長さの文章としたような場合には、ユーザの注意を惹くことになる。そして、ユーザは反転されている表示に少々の違和感を感じることになる。
【００２７】
上記に対して、図２（Ｂ）で示すように、脂取り紙１が使用されて吸脂層１１が吸脂すると透明化するので、シート状基材１０を透かして文字絵柄表示層１２の正規な（本来の）文字絵柄が出現することになる。このようにして、ユーザは脂取り紙１が吸脂したときに、反転表示されていた文字絵柄を正面から、正規の状態で確認できることになる。
【００２８】
よって、本実施例の脂取り紙１を使用したユーザは、吸脂層１１が透明化したときに出現した文字絵柄を確認することにより、皮脂が拭き取られたことを実感する。そして、反転しているために読み難かった文字、或いは見難かった絵柄などを正規の状態で確認することで、その文字絵柄がユーザに強い印象を与えることになる。
【００２９】
例えば、新規な製品の販促のため、その商品のキャッチフレーズなどの文字やその商品の絵柄を文字絵柄表示層１２に印刷しておくことで、ユーザにその商品を印象付けることができる。すなわち、この脂取り紙１はユーザに皮脂を吸収したことを印象付ける高い視認性を有するというだけでなく、その文字絵柄自体をユーザに印象付けることができる。よって、この脂取り紙１は、単に、視認性を向上させた脂取り紙というのではなく、文字絵柄表示層１２に設定した文字絵柄をユーザに印象付けるという宣伝広告の効果も期待できる。
【００３０】
なお、脂取り紙１は吸脂層１１の下に位置するシート状基材１０も吸脂能力を備えている。よって、この脂取り紙１は皮脂量が多い場合でも一度の拭き取りで皮脂を十分に拭き取ることができる。よって、この脂取り紙１は経済性も兼ね備えた脂取り紙として提供できる。
【００３１】
図３は、上記脂取り紙１の吸脂性を改善した変形例の脂取り紙２の構成を拡大して示した図である。この脂取り紙２は文字絵柄表示層１２上（図３では下）側に、第２の吸脂層１３が更に設けてある。この第２の吸脂層１３は前述の吸脂層１１（第１の吸脂層）と同様の条件で文字絵柄表示層１２上に形成すればよい。なお、図３で示すように、塗工液がインキＮＫ間にも入り込むので、文字絵柄表示層１２であった領域の一部も吸脂層となる。
【００３２】
この脂取り紙２は、ユーザがいずれかの一方の面を使って顔面の皮脂を吸脂すると、透明化して反転した文字絵柄、或いは正規の文字絵柄が出現することになる。そして、更に、ユーザが反対側の面を使用すると残りの面も透明化して、反対の文字絵柄が出現することになる。
【００３３】
この脂取り紙２の場合も、吸脂層１１または吸脂層１３が透明化したときに、現れる文字絵柄で皮脂が拭き取られたことをユーザが視覚的に確認できる。ただし、この脂取り紙２も脂取り紙１と同様に、単に視認性を向上させた脂取り紙というのではなく、文字絵柄表示層１２に設定した文字絵柄をユーザに印象付けるという効果を期待できる。しかも、この脂取り紙２は第２の吸脂層１３が追加されているので、吸脂能力が向上しているのでより確実に皮脂を拭き取ることができる。
【００３４】
図４は、第２の実施形態に係る脂取り紙３の構成を拡大して示した図である。この脂取り紙３はシート状基材１０の同じ面（図４では上面）に文字絵柄表示層１２を設け、更にその上に吸脂層１１を設けた構造となる。
【００３５】
この脂取り紙３についてもシート状基材１０上に文字絵柄表示層１２を印刷しておき、塗工液を塗布することで前述した脂取り紙１と同様に製造できる。しかし、文字絵柄表示層１２に形成する文字絵柄が正規の状態で印刷される。すなわち、反転させた状態でなく通常の通りに印刷される。
【００３６】
この脂取り紙３は、ユーザが使用して吸脂層１１が透明化すると、正規の文字絵柄が出現することになる。この脂取り紙３の場合、シート状基材１０の下面側から印刷した文字絵柄が見える形態としてもよいし、見えない形態としてもよい。見えない形態を採用した場合には、従来のインジケータ−機能の脂取り紙と同様に、吸脂したときに文字絵柄が出現することになる。ただし、脂取り紙３の文字絵柄は、印刷技術を用いて形成できるので従来のように耐油剤で形成した文字絵柄とは異なり、ユーザの視覚に強く作用して視認性を高めることができる。そして、この脂取り紙３の場合も吸脂層１１の下に位置するシート状基材１０が吸脂能力を備えている。よって、皮脂量が多い場合でも一度の拭き取りで皮脂を十分に拭き取ることができるという経済性を兼ね備えている。
【００３７】
以上本発明の好ましい一実施形態について詳述したが、本発明は係る特定の実施形態に限定されるものではなく、特許請求の範囲に記載された本発明の要旨の範囲内において、種々の変形・変更が可能である。
【図面の簡単な説明】
【００３８】
【図１】第１の実施形態に係る脂取り紙の構成を拡大して示した図である。
【図２】図１で示す脂取り紙の吸脂前後の変化を模式的示した図であり、（Ａ）は吸脂前の脂取り紙の様子、（Ｂ）は吸脂後の脂取り紙の様子を示している図である。
【図３】図１で示す脂取り紙の吸脂性を改善した変形例の脂取り紙の構成を拡大して示した図である。
【図４】第２の実施形態に係る脂取り紙の構成を拡大して示した図である。
【符号の説明】
【００３９】
１〜３                            脂取り紙
１０                              シート状基材
１１                              吸脂層
１２                              文字絵柄表示層
【図１】
2008079904.tif 000003
【図２】
2008079904.tif 000004
【図３】
2008079904.tif 000005
【図４】
2008079904.tif 000006